(57)【要約】【課題】興味ある記事を、より多くの中からより簡便に探すことのできる情報表示プログラム、情報表示方法、端末装置、および配信装置を提供すること。【解決手段】情報表示プログラムは、取得手順と、表示制御手順とをコンピュータに実行させる。取得手順は、第１コンテンツへのリンクが張られている第１リンクコンテンツであって表示中の第１リンクコンテンツに対して所定の操作が行われた場合に、第１コンテンツに関連する第２コンテンツへのリンクが張られている第２リンクコンテンツを取得する。表示制御手順は、取得手順において取得された第２リンクコンテンツを表示中の第１リンクコンテンツと共に表示する。【選択図】図１
2019046191.tif 000002
【特許請求の範囲】
【請求項１】
第１コンテンツへのリンクが張られている第１リンクコンテンツであって表示中の第１リンクコンテンツに対して所定の操作が行われた場合に、前記第１コンテンツに関連する第２コンテンツへのリンクが張られている第２リンクコンテンツを取得する取得手順と、
前記取得手順において取得された第２リンクコンテンツを前記表示中の第１リンクコンテンツと共に表示する表示制御手順と
をコンピュータに実行させることを特徴とする情報表示プログラム。
【請求項２】
前記表示制御手順は、
並べて表示されている複数の第１リンクコンテンツのうち一の第１リンクコンテンツに対して前記所定の操作が行われた場合に、前記第１リンクコンテンツの近傍に、前記取得手順において取得された第２リンクコンテンツを表示する
ことを特徴とする請求項１に記載の情報表示プログラム。
【請求項３】
前記表示制御手順は、
並べて表示されている複数の第１リンクコンテンツのうち一の第１リンクコンテンツに対して前記所定の操作が行われた場合に、前記一の第１リンクコンテンツと、前記一の第１リンクコンテンツと隣接する第１リンクコンテンツとの間に、前記取得手順において取得された第２リンクコンテンツを表示する
ことを特徴とする請求項１または２に記載の情報表示プログラム。
【請求項４】
前記表示制御手順は、
前記第２リンクコンテンツを表示した後に前記第１リンクコンテンツに対して前記所定の操作が再度行われた場合に、新たな第２リンクコンテンツを表示する
ことを特徴とする請求項１〜３のいずれか一つに記載の情報表示プログラム。
【請求項５】
前記取得手順は、
前記表示制御手順によって前記第２リンクコンテンツが表示された後、前記第１リンクコンテンツに対して前記所定の操作が再度行われた場合に、新たに第２リンクコンテンツを取得し、
前記表示制御手順は、
前記取得手順において新たに取得された第２リンクコンテンツを表示する
ことを特徴とする請求項１〜４のいずれか一つに記載の情報表示プログラム。
【請求項６】
前記取得手順は、
前記表示制御手順によって前記第２リンクコンテンツが表示された後、所定時間経過後に前記第１リンクコンテンツに対して前記所定の操作が再度行われた場合に、新たに前記第２リンクコンテンツを取得する
ことを特徴とする請求項５に記載の情報表示プログラム。
【請求項７】
前記取得手順は、
前記第１リンクコンテンツに対して前記所定の操作が行われた場合に、複数の第２リンクコンテンツを取得し、
前記表示制御手順は、
前記複数の第２リンクコンテンツのうち一部の第２リンクコンテンツを表示し、前記一部の第２リンクコンテンツを表示した後に前記第１リンクコンテンツに対して前記所定の操作が再度行われた場合に、前記複数の第２リンクコンテンツのうち前記一部の第２リンクコンテンツとは異なる新たな第２リンクコンテンツを表示する
ことを特徴とする請求項１〜４のいずれか一つに記載の情報表示プログラム。
【請求項８】
前記表示制御手順は、
前記一部の第２リンクコンテンツを表示した後、所定時間内に前記第１リンクコンテンツに対して前記所定の操作が再度行われた場合に、前記一部の第２リンクコンテンツとは異なる新たな第２リンクコンテンツを表示する
ことを特徴とする請求項７に記載の情報表示プログラム。
【請求項９】
前記表示制御手順は、
複数の前記第２リンクコンテンツを、前記第１コンテンツとの関連度合が高い順に並べて表示する
ことを特徴とする請求項１〜８のいずれか一つに記載の情報表示プログラム。
【請求項１０】
前記表示制御手順は、
互いに重複することのない複数の第２コンテンツにそれぞれリンクが張られた第２リンクコンテンツを表示する
ことを特徴とする請求項１〜９のいずれか一つに記載の情報表示プログラム。
【請求項１１】
前記表示制御手順は、
前記第２リンクコンテンツを表示した後、前記第１リンクコンテンツに対して前記所定の操作が再度行われた場合に、表示済みの前記第２リンクコンテンツと重複しない他の第２リンクコンテンツを表示する
ことを特徴とする請求項１〜１０のいずれか一つに記載の情報表示プログラム。
【請求項１２】
前記取得手順は、
前記表示制御手順において表示された第２リンクコンテンツに対して所定の操作が行われた場合に、前記第２コンテンツに関連する第３コンテンツへのリンクが張られている第３リンクコンテンツを取得し、
前記表示制御手順は、
前記取得手順において取得された第３リンクコンテンツを前記表示中の第１リンクコンテンツと第２リンクコンテンツと共に表示する
ことを特徴とする請求項１〜１１のいずれか一つに記載の情報表示プログラム。
【請求項１３】
前記取得手順は、
前記第１コンテンツが表示される端末装置のユーザに関する情報に基づいて選択される第２リンクコンテンツを取得する
ことを特徴とする請求項１〜１２のいずれか一つに記載の情報表示プログラム。
【請求項１４】
前記取得手順は、
端末装置への配信可能な期間が前記第１コンテンツよりも長い第２コンテンツに対応する第２リンクコンテンツ群から選択される第２リンクコンテンツを取得する
ことを特徴とする請求項１〜１３のいずれか一つに記載の情報表示プログラム。
【請求項１５】
コンピュータが実行する情報表示方法であって、
第１コンテンツへのリンクが張られている第１リンクコンテンツであって表示中の第１リンクコンテンツに対して所定の操作が行われた場合に、前記第１コンテンツに関連する第２コンテンツへのリンクが張られている第２リンクコンテンツを取得する取得工程と、
前記取得工程において取得された第２リンクコンテンツを前記表示中の第１リンクコンテンツとともに表示する表示制御工程と
を含むことを特徴とする情報表示方法。
【請求項１６】
第１コンテンツへのリンクが張られている第１リンクコンテンツであって表示中の第１リンクコンテンツに対して所定の操作が行われた場合に、前記第１コンテンツに関連する第２コンテンツへのリンクが張られている第２リンクコンテンツを取得する取得部と、
前記取得部で取得された第２リンクコンテンツを前記表示中の第１リンクコンテンツとともに表示する表示制御部と
を備えることを特徴とする端末装置。
【請求項１７】
制御情報によって表示制御されるコンテンツを端末装置へ配信する配信部を備え、
前記制御情報は、
第１コンテンツへのリンクが張られている第１リンクコンテンツであって表示中の第１リンクコンテンツに対して所定の操作が行われた場合に、前記第１コンテンツに関連する第２コンテンツへのリンクが張られている第２リンクコンテンツを取得し、取得した第２リンクコンテンツを前記表示中の第１リンクコンテンツとともに表示する
ことを特徴とする配信装置。
【発明の詳細な説明】
【技術分野】
【０００１】
本発明は、情報表示プログラム、情報表示方法、端末装置、および配信装置に関する。
【背景技術】
【０００２】
従来、スマートフォン等のような携帯端末は、表示領域がパソコンに比べて小さいため、例えば、複数の記事コンテンツが存在するウェブページの場合、その概要や見出しなどで構成されるコンテンツを、所謂タイムライン形式で列状に表示することがある。
【０００３】
近年では、かかるタイムライン形式で表示されたコンテンツの中から興味を引くコンテンツをタップなどして選択すると、その列状に並ぶコンテンツに、選択されたコンテンツの元記事となる記事コンテンツが挿入され、複数のコンテンツと選択された記事コンテンツとを一覧表示可能としたものがある（例えば、特許文献１を参照）。
【先行技術文献】
【特許文献】
【０００４】
【特許文献１】特開２０１７−０５８９５８号公報
【発明の概要】
【発明が解決しようとする課題】
【０００５】
しかしながら、表示領域上でスクロールしながら、概要や見出しからなる複数のコンテンツの中から興味を引く記事を探すユーザは、興味を引く記事を発見できなければそのウェブページから移動してしまう。そのため、上述の従来技術では、このようなユーザを、同一ウェブページ上に長時間滞在させることは難しい。
【０００６】
本願は、上記に鑑みてなされたものであって、興味ある記事を、より多くの中からより簡便に探すことのできる情報表示プログラム、情報表示方法、端末装置、および配信装置を提供することを目的とする。
【課題を解決するための手段】
【０００７】
本願に係る情報表示プログラムは、取得手順と、表示制御手順とをコンピュータに実行させる。取得手順は、第１コンテンツへのリンクが張られている第１リンクコンテンツであって表示中の第１リンクコンテンツに対して所定の操作が行われた場合に、前記第１コンテンツに関連する第２コンテンツへのリンクが張られている第２リンクコンテンツを取得する。表示制御手順は、前記取得手順において取得された第２リンクコンテンツを前記表示中の第１リンクコンテンツと共に表示する。
【発明の効果】
【０００８】
実施形態の一態様によれば、ユーザからすれば興味ある記事に出会う確率が高まるとともに、ウェブページ提供側からすれば、ユーザのウェブページへの滞在期間を長くすることができるため、例えば、広告主に対する広告掲載条件などを有利にすることが可能となる。
【図面の簡単な説明】
【０００９】
【図１】図１は、実施形態に係る情報表示処理の概要を示す説明図である。
【図２】図２は、実施形態に係る情報配信システムの構成例を示す説明図である。
【図３】図３は、実施形態に係る端末装置の構成例を示す説明図である。
【図４】図４は、実施形態に係るコンテンツ配信サーバの構成例を示す説明図である。
【図５Ａ】図５Ａは、実施形態に係る情報表示制御の一例を示す説明図である。
【図５Ｂ】図５Ｂは、実施形態に係る情報表示制御の一例を示す説明図である。
【図６】図６は、実施形態に係る情報表示制御の一例を示す説明図である。
【図７】図７は、実施形態に係る記事コンテンツの抽出手法の一例を示す説明図である。
【図８】図８は、実施形態に係る情報配信システムによる情報配信処理手順を示すシーケンス図である。
【図９】図９は、実施形態に係る端末装置による処理手順の一例を示すフローチャートである。
【図１０】図１０は、実施形態に係る端末装置による情報表示制御の一例を示すフローチャートである。
【図１１】図１１は、実施形態に係る情報表示制御の変形例を示す説明図である。
【図１２】図１２は、コンテンツ配信装置の機能を実現するコンピュータの一例を示すハードウェア構成図である。
【発明を実施するための形態】
【００１０】
以下に、本願に係る情報表示プログラム、情報表示方法、端末装置、および配信装置を実施するための形態（以下、「実施形態」と呼ぶ）について、図面を参照しつつ詳細に説明する。なお、この実施形態により本願に係る情報表示プログラム、情報表示方法、端末装置、および配信装置が限定されるものではない。また、以下の各実施形態において同一の部位には同一の符号を付し、重複する説明は省略される。
【００１１】
［１．情報表示処理の概要］
まず、実施形態に係る情報表示処理の概要について説明する。ここでは、実施形態に係る端末装置によって、コンテンツがタイムライン形式に並ぶウェブページが表示される場合における情報表示処理の一例を示す。また、本実施形態において情報表示処理の対象となるコンテンツを、詳細記事である第１コンテンツへのリンクが張られている記事概要を示す第１リンクコンテンツと、第１コンテンツに関連し、同じく詳細記事である第２コンテンツへのリンクが張られている第２リンクコンテンツとしている。
【００１２】
なお、第１コンテンツに関連する第２コンテンツは、例えば周知の分散表現により選定され、内容的に互いに類似してはいるものの、若干の違いがあり、全く重複することのない記事コンテンツとなっている。なお、分散表現としては、記事全文、タイトル、記事中に含まれる画像、記事の入稿元などの情報を利用することができる。
【００１３】
また、情報表示処理の対象となるコンテンツを記事コンテンツとしているが、記事コンテンツには、例えば広告コンテンツなども含むものとする。
【００１４】
図１は、実施形態に係る情報表示処理の概要を示す図である。図１では、実施形態に係る端末装置が実施形態に係る情報表示プログラムを実行して行う情報表示処理の概要について説明する。なお、本実施形態では、第１リンクコンテンツを、複数（ここでは３つ）の第１リンクコンテンツ２１０，２２０，２３０としているが（図１（ａ）参照）、３つの第１リンクコンテンツ２１０，２２０，２３０を総称する場合は第１リンクコンテンツ２００と記す場合がある。また、同様に、第２リンクコンテンツを、複数（ここでは５つ）の第２リンクコンテンツ３１０，３２０，３３０，３４０，３５０（３１０〜３５０）としているが（図１（ｂ）参照）、５つの第２リンクコンテンツ３１０〜３５０を総称する場合は第２リンクコンテンツ３００と記す場合がある。
【００１５】
図１（ａ）に示すように、端末装置の表示領域１０１には、詳細記事である第１コンテンツ（不図示）へのリンクが張られている３つの第１リンクコンテンツ２１０，２２０，２３０を含む複数のコンテンツがタイムライン形式に並ぶウェブページが表示されている。第１リンクコンテンツ２００は、第１コンテンツの記事概要が示されている。第１リンクコンテンツ２１０，２２０，２３０は、表示領域１０１の上部に表示されている第３コンテンツ２０１と、下部に表示されている第４コンテンツ２０２との間に列状に表示されている。
【００１６】
なお、ここでは、３つの第１リンクコンテンツ２１０，２２０，２３０を、第３および第４コンテンツ２０１，２０２の間に挟んで列状に表示したが、第１リンクコンテンツ２００の数や表示態様などはパーソナライズすることができ、ユーザの属性などのユーザ情報に基づいて設定可能である。また、ユーザ側において適宜設定できるようにすることもできる。
【００１７】
実施形態に係る端末装置では、タイムライン形式に並べて表示されている複数の第１リンクコンテンツ２００から、第１コンテンツに関連する第２コンテンツへのリンクが張られた第２リンクコンテンツ３００を表示させる場合、以下のような手順で表示する。
【００１８】
すなわち、並べて表示されている３つの第１リンクコンテンツ２１０，２２０，２３０のうち、一の第１リンクコンテンツ（ここでは最上段の第１リンクコンテンツ２１０）に対して所定の操作が行われた場合、５つの第２リンクコンテンツ３１０〜３５０を取得し、取得した第２リンクコンテンツ３１０〜３５０を、表示中の第１リンクコンテンツとともに表示領域１０１に表示する。
【００１９】
具体的には、端末装置がスマートフォンであって、図１（ａ）に示すように、第１リンクコンテンツ２００のうち、最上段の第１リンクコンテンツ２１０が備える第１リンク部１６０をユーザがタップしたとする。すると、かかるタップ操作に基づき、第１コンテンツに関連する第２コンテンツへのリンクが張られている第２リンクコンテンツ３００を取得する。ここでは、５つの第２リンクコンテンツ３１０〜３５０を取得する。そして、図１（ｂ）に示すように、第１リンクコンテンツ２１０と当該第１リンクコンテンツ２１０と隣接する第１リンクコンテンツ２２０との間に、取得した５つの第２リンクコンテンツ３１０〜３５０を、第１リンクコンテンツ２１０と共に表示領域１０１に表示する。
【００２０】
このように、本実施形態に係る端末装置は、記事コンテンツのうち、詳細記事である第１コンテンツの記事概要であって、当該第１コンテンツへのリンクが張られた第１リンクコンテンツ２００に対して所定の操作が行われた場合に、第１コンテンツに関連する第２コンテンツへのリンクが張られている第２リンクコンテンツ３００を取得する。そして、端末装置は、取得した第２リンクコンテンツ３００を、表示中の第１リンクコンテンツ２００とともに表示する。
【００２１】
このように、ユーザは、第１コンテンツの関連記事（第２コンテンツ）にリンクが張られた複数の第２リンクコンテンツ３００（記事概要）を簡単に視認することができるようになる。なお、第１リンクコンテンツ２００および第２リンクコンテンツ３００は、新しいほど優先的に取得あるいは表示されるようにするとよい。
【００２２】
したがって、実施形態に係る端末装置は、例えば、表示領域１０１に表示されている第１リンクコンテンツ２００（記事概要）をスクロールしながら興味ある記事を探しているユーザに対し、興味ある記事をより探しやすくさせることができる。ひいては、同じウェブページ上に、ユーザを相対的に長時間滞在させることが可能となる。このため、実施形態に係る端末装置では、例えばウェブページＷに表示される広告などの訴求効果の向上が期待できる。
【００２３】
また、第１リンクコンテンツ２００に対して所定の操作が行われてはじめて、第２リンクコンテンツ３００を取得するようにしているため、最新の第２リンクコンテンツ３００を表示することができるとともに、一度に大量のデータを取得する必要が無く、端末装置の負荷を軽減することもできる。
【００２４】
上述した例では、最上段の第１リンクコンテンツ２１０が備える第１リンク部１６０がタップされた場合として説明したが、他の第１リンクコンテンツ２２０（２３０）の第１リンク部１６０がタップされた場合も同様である。また、第１リンクコンテンツ２００の第１リンク部１６０が一度操作されて、第２リンクコンテンツ３００が表示され、かかる第２リンクコンテンツ３００が表示中に、他の第１リンクコンテンツ２００の第１リンク部１６０が操作されても、やはり、操作された第１リンクコンテンツ２００に対応する第２リンクコンテンツ３００が表示される。
【００２５】
また、第２リンクコンテンツ３００についても、取得する数や表示する数などはパーソナライズすることができ、ユーザの属性などのユーザ情報に基づいて設定可能である。また、第２リンクコンテンツ３００の表示数などはユーザ側において適宜設定できるようにすることもできる。
【００２６】
〔２．情報配信システムの構成〕
以下、実施形態に係る端末装置による上記した情報表示処理を可能とする情報配信システムについて詳細に説明する。図２は、実施形態に係る情報配信システム１の構成例を示す説明図である。
【００２７】
図２に示すように、情報配信システム１は、複数の端末装置１００と、コンテンツ配信サーバ１０とを含む。端末装置１００およびコンテンツ配信サーバ１０は、ネットワークＮを介して有線または無線により通信可能に接続される。なお、図２に示す情報配信システム１には、複数台のコンテンツ配信サーバ１０が含まれてもよい。
【００２８】
端末装置１００は、ウェブページの各種コンテンツを閲覧するユーザによって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、ユーザによる操作にしたがって、コンテンツ配信サーバ１０からウェブページを取得し、取得したウェブページを表示する。ウェブページに含まれるコンテンツとしては、記事コンテンツの他、広告コンテンツも含まれる。例えば、ウェブページに広告取得命令が含まれる場合には、端末装置１００は、コンテンツ配信サーバ１０から別途広告コンテンツを取得し、ユーザの操作に応じて、取得した広告コンテンツをウェブページとともに表示する。なお、広告専用の広告配信サーバがネットワークＮ上にある場合、広告コンテンツは、広告配信サーバ（不図示）から取得する場合もある。
【００２９】
コンテンツ配信サーバ１０は、端末装置１００にウェブページを配信するウェブサーバ等である。例えば、コンテンツ配信サーバ１０は、ポータルサイト、ニュースサイト、オークションサイト、天気予報サイト、ショッピングサイト、ファイナンス（株価）サイト、路線検索サイト、地図サイト、旅行サイト、飲食店紹介サイト、ウェブブログなどに関連する各種情報のコンテンツを含むウェブページを端末装置１００に配信する。
【００３０】
コンテンツ配信サーバ１０によって配信されるウェブページは、例えば、ＨＴＭＬ（Hyper  Text  Markup  Language）により記述されたＨＴＭＬファイルや、ＸＭＬ（Extensible  Markup  Language）により記述されたＸＭＬファイル等により形成される。また、コンテンツ配信サーバ１０によって配信されるウェブページには、広告取得命令が含まれる場合がある。例えば、ウェブページを形成するＨＴＭＬファイル等には、コンテンツ配信サーバ１０や広告配信サーバのＵＲＬ等が広告取得命令として記述される。この場合、端末装置１００は、ＨＴＭＬファイル等に記述されているＵＲＬにアクセスすることで広告コンテンツを取得する。
【００３１】
なお、コンテンツ配信サーバ１０から端末装置１００に配信される各種データは、実際にはウェブページを形成するＨＴＭＬファイルや画像等であるが、以下では、コンテンツ配信サーバ１０から端末装置１００に配信される各種データをコンテンツと表記する場合がある。また、コンテンツの中でも文字情報を主体とするコンテンツを記事コンテンツと表記する場合もある。
【００３２】
〔３．端末装置の構成〕
次に、図３を参照して、実施形態に係る端末装置１００の構成について説明する。図３は、実施形態に係る端末装置１００の構成例を示す説明図である。図３に示すように、端末装置１００は、通信部１１０と、入力部１２０と、出力部１３０と、制御部１４０と、記憶部１５０とを有する。
【００３３】
通信部１１０は、例えば、ＮＩＣ等によって実現される。そして、通信部１１０は、ネットワークＮと有線又は無線で接続され、コンテンツ配信サーバ１０との間で情報の送受信を行う。
【００３４】
入力部１２０は、ユーザから各種操作を受け付ける入力装置である。例えば、入力部１２０は、キーボードやマウスや操作キー等によって実現される。出力部１３０は、各種情報を表示するための表示装置である。例えば、出力部１３０は、端末装置１００の画面であり、所定の広さの表示領域１０１を有する液晶ディスプレイ等によって実現される。なお、例えばスマートフォン等のように、端末装置１００にタッチパネルが採用される場合には、入力部１２０と出力部１３０とは一体化される。なお、ウェブページ等のコンテンツは、出力部１３０内に表示されるウェブブラウザソフトウェアのウインドウ内に表示される場合がありうる。この場合、ウェブページを表示する際の端末装置１００における表示領域１０１とは、ウェブブラウザソフトウェアのウインドウを意味する。
【００３５】
記憶部１５０は、例えば、フラッシュメモリ等の半導体メモリ素子、あるいはその他の記憶装置によって実現される。そして、記憶部１５０には、本願に係る情報表示処理プログラムを含む各種プログラムや、コンテンツ配信サーバ１０等から送信されるコンテンツや各種情報等が記憶される。
【００３６】
制御部１４０は、コントローラ（controller）であり、例えば、ＣＰＵ（Central  Processing  Unit）やＭＰＵ（Micro  Processing  Unit）等によって、端末装置１００内部の記憶装置に記憶されている各種プログラム（本願に係る情報表示プログラムの一例に相当）がＲＡＭを作業領域として実行されることにより実現される。例えば、この各種プログラムは、ウェブブラウザと呼ばれるアプリケーションプログラムに該当する。また、制御部１４０は、例えば、コントローラであり、ＡＳＩＣやＦＰＧＡ等の集積回路により実現される。
【００３７】
図３に示すように、制御部１４０は、要求部１４１と、取得部１４２と、表示制御部１４３とを有し、以下に説明する情報表示処理の機能や作用を実現または実行する。なお、制御部１４０の内部構成は、図３に示す構成に限られず、後述する情報表示処理を行う構成であれば他の構成であってもよい。また、制御部１４０が有する各処理部の接続関係は、図３に示した接続関係に限られず、他の接続関係であってもよい。
【００３８】
要求部１４１は、入力部１２０を介して受け付けたユーザ操作に従って、コンテンツ配信サーバ１０にウェブページの取得要求を送信する。
【００３９】
取得部１４２は、要求部１４１によって送信されたウェブページの取得要求に応答したコンテンツ配信サーバ１０から各種のコンテンツを含むウェブページを受け付け、記憶部１５０に格納する。また、取得部１４２は、第１コンテンツへのリンクが張られている第１リンクコンテンツ２００であって表示中の第１リンクコンテンツ２００に対して（例えば、図１Ａにおける第１リンクコンテンツ２１０に対して）、例えば第１リンク部１６０がタップされて所定の操作が行われた場合に、１コンテンツに関連する第２コンテンツへのリンクが張られている第２リンクコンテンツ３００を取得する。
【００４０】
表示制御部１４３は、取得部１４２によって受け付けられたウェブページに含まれる制御情報に従って、所定のコンテンツを出力部１３０に表示させる表示制御を行う。表示制御部１４３は、例えば、ＣＰＵやＭＰＵ等によって、制御情報がＲＡＭを作業領域として実行されることにより実現される。すなわち、表示制御部１４３が実行する処理は、制御情報が実行させる表示制御手順により実現される。かかる表示制御部１４３は、例えば、次に図５Ａ、図５Ｂ、および図６を参照して説明する表示制御を行う。
【００４１】
〔４．コンテンツ配信サーバの構成〕
次に、図４を参照して、実施形態に係るコンテンツ配信サーバ１０の構成について説明する。図４は、実施形態に係るコンテンツ配信サーバ１０の構成例を示す説明図である。図４に示すように、コンテンツ配信サーバ１０は、通信部３１と、コンテンツ記憶部３２と、制御部３３とを有する。
【００４２】
通信部３１は、例えば、ＮＩＣ等によって実現される。そして、通信部３１は、ネットワークＮと有線または無線で接続され、端末装置１００との間で情報の送受信を行う。
【００４３】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、制御情報、および各種コンテンツを含むウェブページを記憶する。すなわち、コンテンツ記憶部３２は、ウェブページを形成するＨＴＭＬファイルや、ウェブページに表示される静止画像や動画像、これらのコンテンツの表示を制御する制御情報を記憶する。
【００４４】
例えば、コンテンツ記憶部３２には、第１コンテンツデータベース３２１と第２コンテンツデータベース３２２とが格納されており、第１コンテンツデータベース３２１には、詳細な記事コンテンツである第１コンテンツ２０が記憶されるとともに、この第１コンテンツ２０の記事概要を示す第１リンクコンテンツ２００が記憶される。また、第２コンテンツデータベース３２２には、第１コンテンツ２０に関連する詳細な記事コンテンツである第２コンテンツ３０が記憶されるとともに、この第２コンテンツ３０の記事概要を示す第２リンクコンテンツ３００が記憶される。
【００４５】
制御部３３は、コントローラであり、例えば、ＣＰＵやＭＰＵ等によって、コンテンツ配信サーバ１０内部の記憶装置に記憶されているＯＳをはじめとする各種プログラムがＲＡＭを作業領域として実行されることにより実現される。また、制御部３３は、例えば、ＡＳＩＣやＦＰＧＡ等の集積回路により実現される。
【００４６】
図４に示すように、制御部３３は、受付部３３１と、配信部３３２と、コンテンツ選択部３３３を有する。なお、制御部３３の内部構成は、図４に示した構成に限られず、必要な情報処理を行う構成であれば他の構成であってもよい。また、制御部３３が有する各処理部の接続関係は、図４に示した接続関係に限られず、他の接続関係であってもよい。
【００４７】
受付部３３１は、端末装置１００からの第２リンクコンテンツ３００（図１（ｂ）参照）の取得要求を受け付ける。この第２リンクコンテンツ３００の取得要求は、第１リンクコンテンツ２００に重畳表示される第１リンク部１６０（図１（ａ）参照）をユーザがタップすることで出力される。また、受付部３３１は、端末装置１００からウェブページの取得要求を受け付ける。例えば、受付部３３１は、ウェブページの取得要求として、ＨＴＴＰリクエストを受け付ける。
【００４８】
コンテンツ選択部３３３は、受付部３３１によってウェブページの取得要求が受け付けられた場合、取得要求に応じたウェブページを構成するためのコンテンツをコンテンツ記憶部３２に記憶されているコンテンツの中から選択し、所望のウェブページを構成する。具体的には、コンテンツ選択部３３３は、コンテンツ記憶部３２から取得要求対象のウェブページを構成するのに必要な第１リンクコンテンツ２００等を取得し、取得した第１リンクコンテンツ２００を含むウェブページを構成する。
【００４９】
配信部３３２は、受付部３３１によってウェブページの取得要求が受け付けられ、コンテンツ選択部３３３によりウェブページが構成された場合、ウェブページを端末装置１００に配信する。
【００５０】
また、配信部３３２は、ウェブページ配信後、受付部３３１によって第２リンクコンテンツ３００の取得要求が受け付けられた場合、第２リンクコンテンツ３００とともに制御情報を端末装置１００に配信する。具体的には、配信部３３２は、コンテンツ記憶部３２から取得要求対象の第２リンクコンテンツ３００と、この第２リンクコンテンツ３００の表示を制御する制御情報を取得して端末装置１００に配信する。
【００５１】
〔５．情報表示制御の一例〕
図５Ａ、図５Ｂおよび図６は、実施形態に係る情報表示制御の一例を示す説明図である。図７は、実施形態に係る記事コンテンツの抽出手法の一例を示す説明図である。なお、端末装置１００の表示領域１０１には、既に第１リンクコンテンツ２００、第３コンテンツ２０１、および第４コンテンツ２０２を含むウェブページＷが表示されている状態から説明する。３つの第１リンクコンテンツ２１０，２２０，２３０は、端末装置１００の制御部１４０により、表示領域１０１の略中央に、上段、中段、下段にそれぞれ位置して表示されている。
【００５２】
各第１リンクコンテンツ２００は、図５Ａに示すように、矩形フレーム内に、アイコンあるいはサムネイル等の画像部２００ａと、テキスト表記された概要記事部２００ｂとを有する。また、第１リンクコンテンツ２００の矩形フレーム内には、詳細記事である第１コンテンツ２０へのリンクとなる第２リンク部１７０が埋め込まれている。
【００５３】
また、制御部１４０は、第１リンクコンテンツ２００を表示する際に、第２リンクコンテンツ３００にリンクする第１リンク部１６０を重畳表示する。第１リンク部１６０は、元記事となる詳細記事である第１コンテンツ２０（図４参照）に関連する第２コンテンツ３０へリンクが張られた第２リンクコンテンツ３００にリンクするもので、矩形フレームの右側に重畳させた状態で表示する。
【００５４】
本実施形態における第１リンク部１６０は、丸枠内にＶ字形の記号が配置されたデザインとしている。しかし、第１リンク部１６０のデザインについては、大きさ等を含めて何ら限定されるものではない。
【００５５】
かかる第１リンク部１６０が、図５Ａに示すようにユーザ４００によってタップされると、第２リンクコンテンツ３００を、図５Ｂに示す表示態様で表示領域１０１に表示させる。
【００５６】
より具体的に説明すると、第１リンク部１６０がタップされて第２リンクコンテンツ３００の表示要求がなされると、制御部１４０は、コンテンツ配信サーバ１０から５つの第２リンクコンテンツ３１０，３２０，３３０，３４０，３５０（３１０〜３５０）を取得する。
【００５７】
そして、取得した５つの第２リンクコンテンツ３１０〜３５０を、図５Ｂに示すように表示する。ここでは、上段に位置し、タップされた第１リンク部１６０を有する第１リンクコンテンツ２１０の下方で、中段に位置していた第１リンクコンテンツ２２０との間に縦方向に並べて表示する。なお、下段に位置して、第１リンク部１６０がタップされる前には表示領域１０１に表示されていた第１リンクコンテンツ２３０（図５Ａ）は、表示領域１０１から外れて非表示状態になっているが、タッチパネルが採用される場合であれば、ユーザ４００は表示領域１０１をスクロール操作することでいつでも表示させることができる。
【００５８】
このとき、図５Ｂに示すように、上段に位置した第１リンクコンテンツ２１０と、最上部に位置する第２リンクコンテンツ３１０との間に、第２リンクコンテンツ３００が第１コンテンツ２０の関連記事の記事概要であることを示す見出部３６０を表示して、第１リンクコンテンツ２００とは異なるコンテンツであることを分かりやすくしている。また、第２リンクコンテンツ３００を第１リンクコンテンツ２１０，２２０よりも距離ｄだけ僅かに右寄りに表示させることで、第１リンクコンテンツ２００とは異なるコンテンツであることをより分かりやすくしている。
【００５９】
なお、図５Ｂに示すように、第２リンクコンテンツ３００は、第１リンクコンテンツ２００と同様に、矩形フレーム内に、アイコンあるいはサムネイル等の画像部３００ａと、テキスト表記された概要記事部３００ｂとを有する。また、第２リンクコンテンツ３００の矩形フレーム内にも、詳細記事である第２コンテンツ３０へのリンクとなる第２リンク部１７０が埋め込まれている。
【００６０】
また、第１リンク部１６０は、操作時においては、前述したようにＶ字形の記号が丸枠内に配置された態様で表示されていたが（図５Ａ参照）、タップされた後は、図５Ｂに示すように、丸枠が消滅してＶ字記号１６０ａのみが表示される。これにより、ユーザ４００は、第１リンク部１６０は操作済みであることを直感的に認識することができる。
【００６１】
また、制御部１４０は、第１リンク部１６０が操作されて（図５Ａ参照）第２リンクコンテンツ３００が表示される（図５Ｂ参照）までの時間に合わせて、図６に示すように、第１リンク部１６０を３６０回転させる態様で表示するようにしている。これにより、第１リンク部１６０を操作したユーザ４００は、第２リンクコンテンツ３００がロード中であることを視覚的に認識することができる。
【００６２】
また、本実施形態に係る端末装置１００では、図５Ｂに示す状態において、丸枠が消滅してＶ字記号１６０ａのみが表示されている位置をタップすると、表示されていた第２リンクコンテンツ３００が消え、図５Ａに示した状態に復帰するようにしている。
【００６３】
このように、端末装置１００の制御部１４０は、第１リンクコンテンツ２００が備える第１リンク部１６０が操作されると、第１リンクコンテンツ２００の元記事であって詳細記事からなる第１コンテンツ２０を表示するのではなく、第１コンテンツ２０に関連する第２コンテンツ３０の概要記事である第２リンクコンテンツ３００を複数表示する。
【００６４】
したがって、例えば、第１リンクコンテンツ２００をスクロールしながら興味ある記事を探しているユーザは、興味ある記事をより探しやすくなる。また、ウェブサイトを運営する側からすれば、一つのウェブページＷ上に、ユーザ４００を比較的長い間滞在させることができるようになるため、広告などの訴求効果の向上が図れる。
【００６５】
ところで、第１コンテンツ２０と第２コンテンツ３０とは、互いに関連してはいるものの、予め重複排除して互いに重複することはないようにしている。したがって、第１リンクコンテンツ２００と第２リンクコンテンツ３００との間でも重複することはない。すなわち、詳細記事である第１コンテンツ２０に対し、例えば分散表現を用いて抽出された、互いに重複することのない複数の第２コンテンツ３０にそれぞれリンクが張られた第２リンクコンテンツ３００を表示するようにしている。
【００６６】
例えば、図７に示すように、記事コンテンツである１つの第１コンテンツ２０に対し、極めて類似する複数の内容の記事コンテンツ２０ａ〜２０ｄが存在する場合、各記事コンテンツ２０ａ〜２０ｄは、第１コンテンツ２０を中心として一定の近距離の範囲であるエリアＡ１に含まれており、第１コンテンツ２０と内容的に近すぎるため予め排除する。そして、ある程度の距離がある他のエリアＡ２〜Ａ３内に含まれる記事コンテンツである第２コンテンツ３０を第１コンテンツ２０の関連コンテンツとして抽出する。
【００６７】
図７において、第１コンテンツ２０に対する関連記事としてエリアＡ２の第２コンテンツ３０が抽出された場合、抽出された第２コンテンツ３０と同じエリアＡ２にあって内容的に近すぎる他の記事コンテンツ３０ａ〜３０ｄは排除される。このようなロジックにより、記事コンテンツである第１コンテンツ２０および第２コンテンツ３０は抽出される。
【００６８】
また、第２リンクコンテンツ３００は、第１リンクコンテンツ２００よりも掲載期間が長く設定されたものとすることが好ましい。ここでは、第１リンクコンテンツ２００よりも掲載期間が長く設定された複数の第２リンクコンテンツ３００の中から所定数（ここでは５つ）選択されるようにしている。例えば、元記事となる第１コンテンツ２０およびこれの概要記事である第１リンクコンテンツ２００は、ニュース性などを勘案して掲載期間を２４時間に設定している。そして、第１コンテンツ２０の関連記事となる第２コンテンツ３０およびこれの概要記事である第２リンクコンテンツ３００は、若干古い記事であってもユーザ４００の興味を惹く可能性があるため、例えば掲載期間を１週間程度に設定している。
【００６９】
ところで、第２リンクコンテンツ３００を表示した後に、第１リンクコンテンツ２００に対し、第１リンク部１６０のタップ操作が再度行われた場合、新たな第２リンクコンテンツ３００を表示するようにしている。すなわち、端末装置１００は、第２リンクコンテンツ３００を表示した後に、第１リンクコンテンツ２００に対し、第１リンク部１６０のタップ操作が再度行われた場合、新たに第２リンクコンテンツ３００を取得する。そして、かかる取得した第２リンクコンテンツ３００を端末装置１００は表示する。
【００７０】
例えば、第２リンクコンテンツ３００を表示した後、所定時間経過後に改めて第２リンクコンテンツ３００の表示要求がなされた場合であれば、制御部１４０は、更新された最新の第２リンクコンテンツ３００を表示する。
【００７１】
すなわち、コンテンツ配信サーバ１０の制御部３３は、所定時間毎に、第１コンテンツ２０および第１リンクコンテンツ２００、さらには第２コンテンツ３０および第２リンクコンテンツ３００を更新してコンテンツ記憶部３２に格納するようにしている。
【００７２】
なお、本実施形態においては、取得する第２リンクコンテンツ３００を５つとしたが、並べて表示される前記複数の第２リンクコンテンツの数はパーソナライズ可能とすることができ、例えば、ユーザ４００の属性などのユーザ情報に基づいて設定することが可能である。あるいは、表示する数についてはユーザ４００の側で設定できるようにすることもできる。
【００７３】
また、制御部１４０は、第１リンク部１６０が操作されて（図５Ａ参照）第２リンクコンテンツ３００が表示される（図５Ｂ参照）までの時間に合わせて、図６に示すように、第１リンク部１６０を３６０回転させる態様で表示するようにしている。これにより、第１リンク部１６０を操作したユーザ４００は、第２リンクコンテンツ３００がロード中であることを視覚的に認識することができる。
【００７４】
〔６．情報配信システムの処理フロー〕
次に、図８を参照して、実施形態に係る情報配信システム１による配信処理の手順について説明する。図８は、実施形態に係る情報配信システム１による情報配信処理手順を示すシーケンス図である。
【００７５】
図８に示すように、端末装置１００は、ユーザ４００の操作に従って、ウェブページＷの取得要求をコンテンツ配信サーバ１０に送信する（ステップＳ１０１）。コンテンツ配信サーバ１０は、ウェブページＷの取得要求に応じて、第１コンテンツ２０へのリンクが張られた第１リンクコンテンツ２００が所定数含まれるウェブページＷを端末装置１００に配信する（ステップＳ１０２）。配信を受けた端末装置１００は、図５Ａに示すようにウェブページＷを表示する。
【００７６】
ウェブページＷが表示された後、ユーザ４００による第１リンク部１６０のタップ操作があれば、タップ操作に従って、端末装置１００は、第１コンテンツ２０の関連コンテンツである第２コンテンツ３０へのリンクが張られた第２リンクコンテンツ３００の表示要求を行う。すなわち、端末装置１００は、第１リンク部１６０を介して第２リンクコンテンツ３００の表示要求をコンテンツ配信サーバ１０に送信する（ステップＳ１０３）。
【００７７】
コンテンツ配信サーバ１０は、端末装置１００からの第２リンクコンテンツ３００の表示要求に応じて、所定数（ここでは５つ）の第２リンクコンテンツ３００を、制御情報と共に端末装置１００に配信する（ステップＳ１０４）。
【００７８】
端末装置１００は、取得した５つの第２リンクコンテンツ３１０〜３５０を、制御情報に基づき表示処理を行う（ステップＳ１０５）。すなわち、図５Ｂに示したように、５つの第２リンクコンテンツ３１０〜３５０を、同一の表示領域１０１に表示中の第１リンクコンテンツ２１０と共に表示する。
【００７９】
〔７．端末装置の処理フローＩ〕
次に、図９を参照して、実施形態に係る端末装置１００による処理の手順について説明する。図９は、実施形態に係る端末装置１００による処理手順を示すフローチャートである。
【００８０】
図９に示すように、端末装置１００は、第１リンクコンテンツ２００を含むウェブページＷの表示開始操作があったか否かを判定し（ステップＳ２１０）、ウェブページＷの表示開始操作なしと判定した場合（ステップＳ２１０；Ｎｏ）、処理を終了する。その後、端末装置１００は、再度ステップＳ２１０から処理を開始する。
【００８１】
他方、ウェブページＷの表示開始操作ありと端末装置１００が判定した場合（ステップＳ２１０；Ｙｅｓ）、ウェブページＷの取得要求をコンテンツ配信サーバ１０へ送信する（ステップＳ２２０）。
【００８２】
続いて、端末装置１００は、第２リンクコンテンツ３００の表示要求操作があったか否かを判定する（ステップＳ２３０）。そして、第２リンクコンテンツ３００の表示要求操作がないと判定した場合（ステップＳ２３０；Ｎｏ）、端末装置１００は、処理をステップＳ２７０に移す。
【００８３】
他方、第２リンクコンテンツ３００の表示要求操作があったと判定した場合（ステップＳ２３０；Ｙｅｓ）、端末装置１００は、第２リンクコンテンツ３００の取得要求をコンテンツ配信サーバ１０へ送信する（ステップＳ２４０）。
【００８４】
続いて、端末装置１００は、第２リンクコンテンツ３００を取得したか否かを判定し（ステップＳ２５０）、第２リンクコンテンツ３００を取得していないと判定した場合（ステップＳ２５０；Ｎｏ）、第２リンクコンテンツ３００を取得するまでステップＳ２５０の判定処理を繰り返す。なお、第２リンクコンテンツ３００の取得とは、本実施形態に係る情報表示プログラムとして機能する制御情報の取得も含まれる。
【００８５】
第２リンクコンテンツ３００および制御情報を取得したと判定した場合（ステップＳ２５０，Ｙｅｓ）、端末装置１００は、複数の第２リンクコンテンツ３００が列状に配置される第２リンクコンテンツ群を表示画面における表示領域１０１に表示させる（ステップＳ２６０）。その後、端末装置１００は、ユーザ４００による所定の操作があったか否かを判定し（ステップＳ２７０）、操作はないと判定した場合（ステップＳ２７０；Ｎｏ）、操作があるまでステップＳ２７０の判定処理を繰り返す。
【００８６】
ユーザ４００による所定の操作があったと判定した場合（ステップＳ２７０；Ｙｅｓ）、端末装置１００は、操作に応じた表示制御を実行する（ステップＳ２８０）。その後、端末装置１００は、ユーザ４００により、ウェブページＷの表示終了操作があったか否かを判定する（ステップＳ２９０）。そして、端末装置１００は、ウェブページＷの表示終了操作なしと判定した場合（ステップＳ２９０；Ｎｏ）、処理をステップＳ２７０に戻す。
【００８７】
一方、端末装置１００は、ウェブページＷの表示終了操作ありと判定した場合（ステップＳ２９０，Ｙｅｓ）、処理を終了する。その後、端末装置１００は、再度ステップＳ２１０から処理を開始することができる。なお、ユーザ４００は任意のタイミングでウェブページＷの表示終了操作を行うことができるため、ステップＳ２９０の処理は、任意のタイミングで行われてもよい。
【００８８】
〔８．端末装置の処理フローＩＩ〕
ここで、図９におけるステップＳ２８０による表示制御の一例について、図１０を参照して説明する。図１０は、実施形態に係る端末装置１００による情報表示制御の一例を示すフローチャートである。
【００８９】
図１０に示すように、端末装置１００は、第１リンクコンテンツ２００または第２リンクコンテンツ３００の詳細記事である第１コンテンツ２０または第２コンテンツ３０の表示要求操作があったか否かを判定する（ステップＳ３１０）。すなわち、図５Ａおよび図５Ｂで示したように、第１リンクコンテンツ２００や第２リンクコンテンツ３００に埋め込まれている第２リンク部１７０に対するタップ操作があったか否かを判定する。
【００９０】
そして、表示要求操作がないと判定した場合（ステップＳ３１０；Ｎｏ）、処理を終了する一方、表示要求操作があると判定した場合（ステップＳ３１０；Ｙｅｓ）、端末装置１００は、処理をステップＳ３２０に移し、詳細記事である第１コンテンツ２０または第２コンテンツ３０の取得要求を、コンテンツ配信サーバ１０に送信する（ステップＳ３２０）。
【００９１】
次いで、端末装置１００は、詳細記事である第１コンテンツ２０または第２コンテンツ３０を取得したか否かを判定し（ステップＳ３３０）、第１コンテンツ２０または第２コンテンツ３０を取得していないと判定した場合（ステップＳ３３０；Ｎｏ）、取得するまでステップＳ３３０の判定処理を繰り返す。
【００９２】
第１コンテンツ２０または第２コンテンツ３０を取得したと判定した場合（ステップＳ３３０，Ｙｅｓ）、端末装置１００は、画面切替処理を行う（ステップＳ３４０）。すなわち、表示領域１０１に、第１リンクコンテンツ２００や第２リンクコンテンツ３００を含むウェブページＷが表示されている画面から、別の表示領域を有する画面に切替える。
【００９３】
そして、端末装置１００は、ウェブページＷが表示されていた画面とは異なる別の画面の新しい表示領域に、詳細記事である第１コンテンツ２０または第２コンテンツ３０を表示する（ステップＳ３５０）。
【００９４】
〔９．変形例〕
上述した実施形態に係る表示処理は、上記実施形態以外にも種々の異なる形態にて実施されてよい。ここで、図１１を参照し、実施形態に係る表示制御の変形例について説明する。図１１は、実施形態に係る情報表示制御の変形例を示す説明図である。
【００９５】
上述してきた例では、図５Ａおよび図５Ｂに示すように、第１リンクコンテンツ２００に、第２リンクコンテンツ３００にリンクする第１リンク部１６０と、詳細記事である第１コンテンツ２０へリンクする第２リンク部１７０を設け、第２リンクコンテンツ３００は、詳細記事である第２コンテンツ３０へリンクする第２リンク部１７０を設けただけであった。しかし、表示領域１０１に、他のリンク部を備える構成とすることもできる。
【００９６】
すなわち、図１１に示すように、並べて表示される複数の第２リンクコンテンツ３００の直上方位置に第３リンク部１８０を表示することができる。第３リンク部１８０は、第２リンクコンテンツ３００とは重複しない他の第２リンクコンテンツを表示するためのリンクとなるもので、所謂「もっと見るボタン」の機能を実現する。この第３リンク部１８０に対する操作は、第１リンクコンテンツ２００に対する所定の操作に相当する。
【００９７】
かかる第３リンク部１８０をユーザ４００がタップ操作すると、操作の都度、現在表示されている第２リンクコンテンツ３００とは重複することはないが、第１コンテンツ２０に関連する第２コンテンツ３０へのリンクが張られた他の２リンクコンテンツが、表示済みの第２リンクコンテンツ３００は表示されたまま、次々と表示されるものである。
【００９８】
このようにすることで、ユーザ４００の操作に応じて、ユーザ４００が興味を惹きそうなコンテンツを多数表示することができ、ユーザ４００を、可及的に長い間、同一ウェブページＷへ滞在できるように導くことが可能となる。
【００９９】
また、表示されている複数の第２リンクコンテンツ３００の矩形フレーム内に、第４リンク部１９０をそれぞれ重畳表示することができる。
【０１００】
第４リンク部１９０は、第１コンテンツ２０に関連する第２コンテンツ３０にさらに関連する第３コンテンツ（不図示）へのリンクが張られている第３リンクコンテンツ（不図示）を表示するためのリンクであり、所謂「孫引きボタン」の機能を実現する。
【０１０１】
かかる第４リンク部１９０をユーザ４００がタップ操作すると、複数の第３リンクコンテンツが、縦方向に列状、すなわちタイムライン形式で表示される。例えば、図１１において、最上段に位置する第２リンクコンテンツ３１０の第４リンク部１９０をタップ操作すると、第リンクコンテンツ３００の近傍に第３リンクコンテンツが表示される。例えば、第２リンクコンテンツ３１０とその下に表示されている第２リンクコンテンツ３２０との間に、所定数（例えば５つ）の第３リンクコンテンツが、第２リンクコンテンツ３１０，３２０よりも僅かに右側に寄った状態で表示される。
【０１０２】
こうして、第４リンク部１９０の操作の都度、第１コンテンツ２０に対して関連度合が変化する多様なコンテンツが表示されるようにすれば、ユーザ４００に新たな興味を誘起させることが可能となる。したがって、第４リンク部１９０を設けることで、ユーザ４００を、可及的に長い間、同一ウェブページＷへ滞在できるように導くことが可能となる。
【０１０３】
また、本実施形態に係る端末装置１００では、並べて表示されている複数の第１リンクコンテンツ２００のうち一つの第１リンクコンテンツ２１０に対して第１リンク部１６０のタップ操作が行われた場合、一つの第１リンクコンテンツ２１０と、この一つの第１リンクコンテンツ２１０と隣接する第１リンクコンテンツ２２０との間に取得した第２リンクコンテンツ３００を表示するようにした。
【０１０４】
しかし、取得した第２リンクコンテンツ３００の表示位置は、一つの第１リンクコンテンツ２１０とこれに隣接する第１リンクコンテンツ２２０との間だけには限らず、第１リンクコンテンツ２００の近傍で視認可能な位置であればどのような位置でも構わない。例えば、第２リンクコンテンツ３００を、第１リンクコンテンツ２００に重畳させて表示することもできる。
【０１０５】
また、本実施形態に係る端末装置１００では、第２リンクコンテンツ３００を表示した後、例えば端末装置１００において第１コンテンツ２０や第１リンクコンテンツ２００がキャッシュされている時間内のように、一定時間以内に改めて第２リンクコンテンツ３００の表示要求がなされた場合、前回表示した第２リンクコンテンツ３００と同じ第２リンクコンテンツ３００が表示されることとしているが、次のようにして、新たな第２リンクコンテンツ３００を表示することもできる。
【０１０６】
すなわち、端末装置１００の制御部１４０は、第１リンクコンテンツ２００に対して最初の所定操作、すなわち、第１リンク部１６０へのタップ操作が行われた場合、例えば６つ以上の複数の第２リンクコンテンツ３００を取得する。次いで、制御部１４０は、複数の第２リンクコンテンツ３００のうち一部（例えば５つ）の第２リンクコンテンツ３１０〜３５０を表示し、一部の第２リンクコンテンツ３１０〜３５０を表示した後に第１リンクコンテンツ２００に対して所定の操作（第１リンク部１６０へのタップ操作）が再度行われた場合に、複数の第２リンクコンテンツ３００のうち一部の第２リンクコンテンツ３１０〜３５０とは異なる新たな第２リンクコンテンツ３００を表示するのである。
【０１０７】
このように、第２リンクコンテンツ３００を表示した後、所定時間以内であっても、再度第２リンクコンテンツ３００の表示要求がなされた場合、制御部１４０は、前回表示した第２リンクコンテンツ３００とは異なる第２リンクコンテンツ３００を表示することができる。このようにすることで、ユーザ４００は限られた時間内であっても、より多くの第２リンクコンテンツ３００を見ることができる。
【０１０８】
また、上述してきた例では、複数の第２リンクコンテンツ３００を表示する際に、端末装置１００の制御部１４０は、適宜ランダムに選択して取得したり、予めコンテンツ配信サーバ１０により決定された複数の第２リンクコンテンツ３００の配信を受けるようにしたりしていた。
【０１０９】
しかし、制御部１４０は、複数の第２リンクコンテンツ３００を表示する際に、第１コンテンツ２０との関連度合が高い順に並べて表示することもできる。この場合、複数の第２リンクコンテンツ３００を例えば時系列順に並べ、記事内容にストーリー性を持たせることができる。
【０１１０】
また、第１コンテンツ２０と第２コンテンツ３０とを、互いに関連してはいるものの決して互いに重複することはないようにするために、上述してきた例では周知の分散表現を用いてコンテンツを抽出していた。しかし、ウェブページＷに表示する第１リンクコンテンツ２００の元記事となる第１コンテンツ２０や、第２リンクコンテンツ３００の元記事となる第２コンテンツ３０の抽出には、その他のロジックを採用してもよいし、ユーザ４００の属性や行動履歴、コンテキスト、るいは、コンテンツの新鮮さを示すフレッシュネスのランクなどに基づいて抽出することもできる。
【０１１１】
また、上述してきた例では、端末装置１００に表示されるものを、コンテンツがタイムライン形式に並ぶウェブページＷとして説明したが、これはウェブページＷに限られるものではない。例えば、コンテンツを表示するアプリケーションにも実施形態に係る情報表示処理を適用ですることができる。その場合、情報表示処理は、制御情報によるのではなく、アプリケーションの機能によって、実施形態に係る情報表示処理を実現することができる。
【０１１２】
〔１０．記事コンテンツ〕
上記実施形態で示した第１コンテンツ２０や第２コンテンツ３０は、記事コンテンツとしたが、これら記事コンテンツは、政治、経済、スポーツ、芸能、科学などの分野における話題のニュースを示すコンテンツの他、ショッピングサイト、天気予報サイト、グルメサイトなど、ウェブサイトに提供される各種のコンテンツが対象となる。また、記事コンテンツとしては、広告コンテンツであっても構わない。
【０１１３】
〔１１．制御情報〕
端末装置１００がウェブページＷと共に配信される制御情報を用いて、上述した表示処理を実行する場合、実施形態に係る情報配信システム１では、コンテンツ配信サーバ１０がウェブページＷおよび制御情報を端末装置１００に配信する例を示した。しかし、例えば記事コンテンツが広告コンテンツである場合であって、情報配信システム１に広告配信サーバが含まれる場合、制御情報を配信する装置は、コンテンツ配信サーバ１０に限られず、広告配信サーバであってもよい。
【０１１４】
〔１２．プログラム〕
上述してきた端末装置１００による処理は、本願に係る情報表示プログラムにより実現される。例えば、端末装置１００に係る表示制御部１４３は、端末装置１００が有するＣＰＵやＭＰＵ等によって、情報表示プログラムがＲＡＭを作業領域として、情報表示プログラムに係る取得手順および表示制御手順が実行されることにより実現される。端末装置１００に係る他の処理部も同様に、情報表示プログラムによる各手順が実行されることにより実現される。
【０１１５】
〔１３．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した要求部１４１と取得部１４２とは統合されてもよい。また、例えば、図４に示した受付部３３１とコンテンツ選択部３３３は統合されてもよい。また、表示中の第１リンクコンテンツ２００に対する所定の操作をタップ操作として説明したが、あくまでも一例であり、タップ操作に限られるものではなく、第２リンクコンテンツ３００を取得するための操作であればどのような操作であっても構わない。
【０１１７】
また、上述してきた実施形態および変形例は、処理内容を矛盾させない範囲で適宜組み合わせることが可能である。
【０１１８】
〔１４．ハードウェア構成〕
また、上述してきた実施形態に係る端末装置１００およびコンテンツ配信サーバ１０は、例えば図１２に示すような構成のコンピュータ１０００によって実現される。以下、コンテンツ配信サーバ１０を例に挙げて説明する。図１２は、コンテンツ配信サーバ１０の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１１９】
ＣＰＵ１１００は、ＲＯＭ１３００又はＨＤＤ１４００に格納されたプログラム（例えば、実施形態に係る制御情報や本願に係る情報表示プログラム）に基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２０】
ＨＤＤ１４００は、ＣＰＵ１１００によって実行されるプログラム、および、かかるプログラムによって使用されるデータ等を記憶する。通信インターフェイス１５００は、通信網（図２に示すネットワークＮに対応する）を介して他の機器からデータを受信してＣＰＵ１１００へ送り、また、通信網を介してＣＰＵ１１００が生成したデータを他の機器へ送信する。
【０１２１】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２３】
例えば、コンピュータ１０００が実施形態に係るコンテンツ配信サーバ１０、あるいは端末装置１００として機能する場合、コンピュータ１０００のＣＰＵ１１００は、ＲＡＭ１２００上にロードされたプログラムを実行することにより、制御部３３の機能を実現する。また、ＨＤＤ１４００には、コンテンツ配信サーバ１０が備えるコンテンツ記憶部３２内のデータが格納される。コンピュータ１０００のＣＰＵ１１００は、これらのプログラムを記録媒体１８００から読み取って実行するが、他の例として、他の装置から通信網を介してこれらのプログラムを取得してもよい。
【０１２４】
なお、コンピュータ１０００が実施形態に係る端末装置１００として機能する場合、コンピュータ１０００のＣＰＵ１１００は、ＲＡＭ１２００上にロードされたプログラムを実行することにより、制御部１４０の機能を実現する。
【０１２５】
〔１５．効果〕
上述したように、実施形態に係る端末装置１００は、第１コンテンツ２０へのリンクが張られている第１リンクコンテンツ２００であって表示中の第１リンクコンテンツ２００に対して所定の操作（第１リンク部１６０のタップ操作）が行われた場合に、第１コンテンツ２０に関連する第２コンテンツ３０へのリンクが張られている第２リンクコンテンツ３００を取得する取得部１４２と、取得部１４２で取得された第２リンクコンテンツ３００を表示中の第１リンクコンテンツ２００とともに表示する表示制御部１４３とを備える。
【０１２６】
かかる端末装置１００によれば、ユーザ４００からすれば興味ある記事に出会う確率が高まるとともに、例えば、ウェブページＷの提供側からすれば、ユーザ４００のウェブページＷへの滞在期間を長くすることができるため、広告への訴求効果を高めることが可能となるとともに、広告主に対しては広告掲載条件などを有利にすることが可能となる。
【０１２７】
しかも、表示制御部１４３は、並べて表示されている複数の第１リンクコンテンツ２００のうち一の第１リンクコンテンツ２００に対して所定の操作（第１リンク部１６０のタップ操作）が行われた場合に、第１リンクコンテンツ２００の近傍に、取得部１４２において取得された第２リンクコンテンツ３００を表示することができる。したがって、ユーザ４００は、第２リンクコンテンツ３００が１リンクコンテンツ２００の近傍に表示されるため、第１コンテンツ２０と関連するコンテンツの中から興味ある記事を探しやすくなる。
【０１２８】
また、表示制御部１４３は、並べて表示されている複数の第１リンクコンテンツ２００のうち一の第１リンクコンテンツ２００に対して所定の操作（第１リンク部１６０のタップ操作）が行われた場合に、一の第１リンクコンテンツ２００（２１０）と、この一の第１リンクコンテンツ２００（２１０）と隣接する第１リンクコンテンツ２００（２２０）との間に、取得部１４２において取得された第２リンクコンテンツ３００を表示することができる。
【０１２９】
したがって、ユーザ４００は、タップ操作して第１リンクコンテンツ２００と並んだ状態で第２リンクコンテンツ３００を視認することができるため、第１コンテンツ２０と関連するコンテンツの中から興味ある記事を探しやすくなる。
【０１３０】
また、表示制御部１４３は、第２リンクコンテンツ３００を表示した後に、第１リンクコンテンツ２００に対して、第１リンク部１６０のタップ操作が再度行われた場合に、新たな第２リンクコンテンツ３００を表示する。したがって、ユーザ４００は、より多くの関連記事をチェックすることができるため、興味ある記事に出会う確率がより高まる。
【０１３１】
また、取得部１４２は、表示制御部１４３によって第２リンクコンテンツ３００が表示された後、第１リンクコンテンツ２００に対して第１リンク部１６０のタップ操作が再度行われた場合に、新たに第２リンクコンテンツ３００を取得し、表示制御部１４３は、取得部１４２において新たに取得された第２リンクコンテンツ３００を表示する。
【０１３２】
すなわち、第１リンクコンテンツ２００に対して、第１リンク部１６０のタップ操作が行われてはじめて第２リンクコンテンツを新たに取得するため、一度に大量のデータを取得する必要はなく、制御負荷を軽減することができるとともに、記憶容量をいたずらに圧迫するおそれもなくなる。
【０１３３】
また、取得部１４２は、表示制御部１４３によって第２リンクコンテンツ３００が表示された後、所定時間経過後に第１リンクコンテンツ２００に対して第１リンク部１６０のタップ操作が再度行われた場合に、新たに第２リンクコンテンツ３００を取得する。したがって、所定時間以内であれば、データ取得などは行われないため、制御負荷を可及的に軽減することができるとともに、所定時間経過後であれば、より多くの関連記事をチェックすることができるため、興味ある記事に出会う確率がより高まる。
【０１３４】
また、取得部１４２は、第１リンクコンテンツ２００に対して第１リンク部１６０のタップ操作（所定の操作）が行われた場合に、複数の第２リンクコンテンツ３００を取得し、表示制御部１４３は、複数の第２リンクコンテンツ３００のうち一部の第２リンクコンテンツ３００を表示し、一部の第２リンクコンテンツ３００を表示した後に第１リンクコンテンツ２００に対して所定の操作が再度行われた場合に、複数の第２リンクコンテンツ３００のうち一部の第２リンクコンテンツ３００とは異なる新たな第２リンクコンテンツを表示する。この場合、ユーザによる新たな第２リンクコンテンツ３００の表示要求に即座に対応することが可能となる。
【０１３５】
また、表示制御部１４３は、一部の第２リンクコンテンツ３００を表示した後、所定の時間内に第１リンクコンテンツ２００に対して第１リンク部１６０のタップ操作（所定の操作）が再度行われた場合に、一部の第２リンクコンテンツ３００とは異なる新たな第２リンクコンテンツを表示する。したがって、ユーザ４００は限られた時間内であっても、より多くの第２リンクコンテンツ３００を見ることができるため、興味ある記事に出会う確率がより高まる。
【０１３６】
また、表示制御部１４３は、複数の第２リンクコンテンツ３００を、第１コンテンツ２０との関連度合が高い順に並べて表示することもできる。例えば、複数の第２リンクコンテンツ３００を例えば時系列順に並べて記事内容にストーリー性を持たせることができ、よりユーザ４００の興味を惹くことが可能となる。
【０１３７】
また、表示制御部１４３は、互いに重複することのない複数の第２コンテンツ３０にそれぞれリンクが張られた第２リンクコンテンツ３００を表示するようにしている。したがって、第１コンテンツ２０に関連する第２コンテンツ３０は、内容的に互いに類似してはいるものの、互いに重複することのないバリエーションに富んだコンテンツとすることができる。
【０１３８】
表示制御部１４３は、第２リンクコンテンツ３００を表示した後、第１リンクコンテンツ２００に対して所定の操作が再度行われた（第３リンク部１８０のタップ操作が行われた）場合に、表示済みの第２リンクコンテンツ３００と重複しない他の第２リンクコンテンツ３００を表示する。
【０１３９】
したがって、端末装置１００は、ユーザ４００の操作に応じて、ユーザ４００が興味を惹きそうな多種類の第２リンクコンテンツ３００をより多く表示することができ、ユーザ４００を、可及的に長い間、同一ウェブページＷへ滞在できるように導くことが可能となる。
【０１４０】
また、取得部１４２は、表示制御部１４３により表示された第２リンクコンテンツ３００に対して所定の操作が行われた（第４リンク部１９０のタップ操作が行われた）場合に、第２コンテンツに関連する第３コンテンツへのリンクが張られている第３リンクコンテンツを取得し、表示制御部１４３は、取得部１４２において取得された第３リンクコンテンツを表示中の第１リンクコンテンツ２００と第２リンクコンテンツ３００と共に表示する。
【０１４１】
したがって、第４リンク部１９０をユーザ４００がタップ操作（所定の操作）する度に、第１コンテンツ２０に対して関連度合が変化する多様な第３リンクコンテンツが取得されてて表示されるため、ユーザ４００に新たな興味を誘起させることが可能となり、ユーザ４００を、可及的に長い間、同一ウェブページＷへ滞在できるように導くことが可能となる。
【０１４２】
また、取得部１４２は、第１コンテンツ２０が表示される端末装置１００のユーザ４００に関する情報に基づいて選択される第２リンクコンテンツ３００を取得する。したがって、表示される第２リンクコンテンツ３００をユーザ４００に応じてパーソナライズできるため、例えば、ユーザ４００の必要性に応じた適切な数で第２リンクコンテンツ３００を表示できる。
【０１４３】
また、取得部１４２は、端末装置１００への配信可能な期間が第１コンテンツよりも長い第２コンテンツに対応する第２リンクコンテンツ群から選択される第２リンクコンテンツ３００を取得する。したがって、ユーザ４００は、元記事となる第１コンテンツ２０への興味が失せても、第１コンテンツ２０に関連する第２コンテンツ３０の中からは興味ある記事が見出される可能性があり、かかる第２コンテンツ３０に対応する第２リンクコンテンツ３００を表示することで、ユーザ４００を、可及的に長い間、同一ウェブページＷへ滞在できるように導くことが可能となる。
【０１４４】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４５】
また、上述してきた「部（section、module、unit）」は、「手段」や「回路」などに読み替えることができる。例えば、配信部は、配信手段や配信回路に読み替えることができる。
【符号の説明】
【０１４６】
１  情報配信システム
１０  コンテンツ配信サーバ（情報表示装置）
２０  第１コンテンツ
３０  第２コンテンツ
１００  端末装置
１６０  第１リンク部
２００  第１リンクコンテンツ
３００  第２リンクコンテンツ
【図１】
2019046191.tif 000003
【図２】
2019046191.tif 000004
【図３】
2019046191.tif 000005
【図４】
2019046191.tif 000006
【図５Ａ】
2019046191.tif 000007
【図５Ｂ】
2019046191.tif 000008
【図６】
2019046191.tif 000009
【図７】
2019046191.tif 000010
【図８】
2019046191.tif 000011
【図９】
2019046191.tif 000012
【図１０】
2019046191.tif 000013
【図１１】
2019046191.tif 000014
【図１２】
2019046191.tif 000015
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得手順と、
前記取得手順において取得された第２リンクコンテンツを、前記第１コンテンツを非表示状態としたまま前記表示中の第１リンクコンテンツと共に表示する表示制御手順と
をコンピュータに実行させることを特徴とする情報表示プログラム。
【請求項２】
前記表示制御手順は、
並べて表示されている複数の第１リンクコンテンツのうち一の第１リンクコンテンツに対して前記操作が行われた場合に、前記第１リンクコンテンツの近傍に、前記取得手順において取得された第２リンクコンテンツを表示する
ことを特徴とする請求項１に記載の情報表示プログラム。
【請求項３】
前記表示制御手順は、
並べて表示されている複数の第１リンクコンテンツのうち一の第１リンクコンテンツに対して前記操作が行われた場合に、前記一の第１リンクコンテンツと、前記一の第１リンクコンテンツと隣接する第１リンクコンテンツとの間に、前記取得手順において取得された第２リンクコンテンツを表示する
ことを特徴とする請求項１または２に記載の情報表示プログラム。
【請求項４】
前記表示制御手順は、
前記第２リンクコンテンツを表示した後に前記第１リンクコンテンツに対して前記操作が再度行われた場合に、新たな第２リンクコンテンツを表示する
ことを特徴とする請求項１〜３のいずれか一つに記載の情報表示プログラム。
【請求項５】
前記取得手順は、
前記表示制御手順によって前記第２リンクコンテンツが表示された後、前記第１リンクコンテンツに対して前記操作が再度行われた場合に、新たに第２リンクコンテンツを取得し、
前記表示制御手順は、
前記取得手順において新たに取得された第２リンクコンテンツを表示する
ことを特徴とする請求項１〜４のいずれか一つに記載の情報表示プログラム。
【請求項６】
前記取得手順は、
前記表示制御手順によって前記第２リンクコンテンツが表示された後、所定時間経過後に前記第１リンクコンテンツに対して前記操作が再度行われた場合に、新たに前記第２リンクコンテンツを取得する
ことを特徴とする請求項５に記載の情報表示プログラム。
【請求項７】
前記取得手順は、
前記第１リンクコンテンツに対して前記操作が行われた場合に、複数の第２リンクコンテンツを取得し、
前記表示制御手順は、
前記複数の第２リンクコンテンツのうち一部の第２リンクコンテンツを表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる新たな第２リンクコンテンツを表示する
ことを特徴とする請求項１〜４のいずれか一つに記載の情報表示プログラム。
【請求項８】
前記表示制御手順は、
前記一部の第２リンクコンテンツを表示した後、所定時間内に前記第１リンクコンテンツに対して前記操作が再度行われた場合に、前記一部の第２リンクコンテンツとは異なる新たな第２リンクコンテンツを表示する
ことを特徴とする請求項７に記載の情報表示プログラム。
【請求項９】
前記表示制御手順は、
複数の前記第２リンクコンテンツを、前記第１コンテンツとの関連度合が高い順に並べて表示する
ことを特徴とする請求項１〜８のいずれか一つに記載の情報表示プログラム。
【請求項１０】
前記表示制御手順は、
互いに重複することのない複数の第２コンテンツにそれぞれリンクが張られた第２リンクコンテンツを表示する
ことを特徴とする請求項１〜９のいずれか一つに記載の情報表示プログラム。
【請求項１１】
前記表示制御手順は、
前記第２リンクコンテンツを表示した後、前記第１リンクコンテンツに対して前記操作が再度行われた場合に、表示済みの前記第２リンクコンテンツと重複しない他の第２リンクコンテンツを表示する
ことを特徴とする請求項１〜１０のいずれか一つに記載の情報表示プログラム。
【請求項１２】
前記取得手順は、
前記表示制御手順において表示された第２リンクコンテンツに対して前記操作が行われた場合に、前記第２コンテンツに関連する第３コンテンツへのリンクが張られている第３リンクコンテンツを取得し、
前記表示制御手順は、
前記取得手順において取得された第３リンクコンテンツを前記表示中の第１リンクコンテンツと第２リンクコンテンツと共に表示する
ことを特徴とする請求項１〜１１のいずれか一つに記載の情報表示プログラム。
【請求項１３】
前記取得手順は、
前記第１コンテンツが表示される端末装置のユーザに関する情報に基づいて選択される第２リンクコンテンツを取得する
ことを特徴とする請求項１〜１２のいずれか一つに記載の情報表示プログラム。
【請求項１４】
前記取得手順は、
端末装置への配信可能な期間が前記第１コンテンツよりも長い第２コンテンツに対応する第２リンクコンテンツ群から選択される第２リンクコンテンツを取得する
ことを特徴とする請求項１〜１３のいずれか一つに記載の情報表示プログラム。
【請求項１５】
コンピュータが実行する情報表示方法であって、
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得工程と、
前記取得工程において取得された第２リンクコンテンツを、前記第１コンテンツを非表示状態としたまま前記表示中の第１リンクコンテンツとともに表示する表示制御工程と
を含むことを特徴とする情報表示方法。
【請求項１６】
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得部と、
前記取得部で取得された第２リンクコンテンツを、前記第１コンテンツを非表示状態としたまま前記表示中の第１リンクコンテンツとともに表示する表示制御部と
を備えることを特徴とする端末装置。
【請求項１７】
制御情報によって表示制御されるコンテンツを端末装置へ配信する配信部を備え、
前記制御情報は、
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得し、取得した第２リンクコンテンツを、前記第１コンテンツを非表示状態としたまま前記表示中の第１リンクコンテンツとともに表示する
ことを特徴とする配信装置。
【手続補正２】
【補正対象書類名】明細書
【補正対象項目名】０００７
【補正方法】変更
【補正の内容】
【０００７】
本願に係る情報表示プログラムは、取得手順と、表示制御手順とをコンピュータに実行させる。取得手順は、表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する。表示制御手順は、前記取得手順において取得された第２リンクコンテンツを、前記第１コンテンツを非表示状態としたまま前記表示中の第１リンクコンテンツと共に表示する。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得手順と、
前記取得手順において取得された第２リンクコンテンツを、前記第１コンテンツを非表示状態としたまま前記表示中の第１リンクコンテンツと共に表示する表示制御手順とをコンピュータに実行させる情報表示プログラムであって、
前記取得手順では、
前記第１リンクコンテンツに対して前記操作が行われた場合に、複数の第２リンクコンテンツを取得し、
前記表示制御手順では、
取得された前記複数の第２リンクコンテンツのうち一部の第２リンクコンテンツを表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる他の第２リンクコンテンツを表示することを特徴とする情報表示プログラム。
【請求項２】
前記表示制御手順は、
前記一部の第２リンクコンテンツを表示した後、所定時間内に前記第１リンクコンテンツに対して前記操作が再度行われた場合に、前記一部の第２リンクコンテンツとは異なる新たな第２リンクコンテンツを表示する
ことを特徴とする請求項１に記載の情報表示プログラム。
【請求項３】
前記表示制御手順は、
並べて表示されている複数の第１リンクコンテンツのうち一の第１リンクコンテンツに対して前記操作が行われた場合に、前記第１リンクコンテンツの近傍に、前記取得手順において取得された第２リンクコンテンツを表示する
ことを特徴とする請求項１または２に記載の情報表示プログラム。
【請求項４】
前記表示制御手順は、
並べて表示されている複数の第１リンクコンテンツのうち一の第１リンクコンテンツに対して前記操作が行われた場合に、前記一の第１リンクコンテンツと、前記一の第１リンクコンテンツと隣接する第１リンクコンテンツとの間に、前記取得手順において取得された第２リンクコンテンツを表示する
ことを特徴とする請求項１〜３のいずれか一つに記載の情報表示プログラム。
【請求項５】
前記表示制御手順は、
複数の前記第２リンクコンテンツを、前記第１コンテンツとの関連度合が高い順に並べて表示する
ことを特徴とする請求項１〜４のいずれか一つに記載の情報表示プログラム。
【請求項６】
前記表示制御手順は、
互いに重複することのない複数の第２コンテンツにそれぞれリンクが張られた第２リンクコンテンツを表示する
ことを特徴とする請求項１〜５のいずれか一つに記載の情報表示プログラム。
【請求項７】
前記表示制御手順は、
前記第２リンクコンテンツを表示した後、前記第１リンクコンテンツに対して前記操作が再度行われた場合に、表示済みの前記第２リンクコンテンツと重複しない他の第２リンクコンテンツを表示する
ことを特徴とする請求項１〜６のいずれか一つに記載の情報表示プログラム。
【請求項８】
前記取得手順は、
前記表示制御手順において表示された第２リンクコンテンツに対して前記操作が行われた場合に、前記第２コンテンツに関連する第３コンテンツへのリンクが張られている第３リンクコンテンツを取得し、
前記表示制御手順は、
前記取得手順において取得された第３リンクコンテンツを前記表示中の第１リンクコンテンツと第２リンクコンテンツと共に表示する
ことを特徴とする請求項１〜７のいずれか一つに記載の情報表示プログラム。
【請求項９】
前記取得手順は、
前記第１コンテンツが表示される端末装置のユーザに関する情報に基づいて選択される第２リンクコンテンツを取得する
ことを特徴とする請求項１〜８のいずれか一つに記載の情報表示プログラム。
【請求項１０】
前記取得手順は、
端末装置への配信可能な期間が前記第１コンテンツよりも長い第２コンテンツに対応する第２リンクコンテンツ群から選択される第２リンクコンテンツを取得する
ことを特徴とする請求項１〜９のいずれか一つに記載の情報表示プログラム。
【請求項１１】
コンピュータが実行する情報表示方法であって、
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得工程と、
前記取得工程において取得された第２リンクコンテンツを、前記第１コンテンツを非表示状態としたまま前記表示中の第１リンクコンテンツと共に表示する表示制御工程とを含む情報表示方法であって、
前記取得工程では、
前記第１リンクコンテンツに対して前記操作が行われた場合に、複数の第２リンクコンテンツを取得し、
前記表示制御工程では、
取得された前記複数の第２リンクコンテンツのうち一部の第２リンクコンテンツを表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる他の第２リンクコンテンツを表示することを特徴とする情報表示方法。
【請求項１２】
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する取得部と、
前記取得部で取得された第２リンクコンテンツを、前記第１コンテンツを非表示状態としたまま前記表示中の第１リンクコンテンツとともに表示する表示制御部とを備える端末装置であって、
前記取得部は、
前記第１リンクコンテンツに対して前記操作が行われた場合に、複数の第２リンクコンテンツを取得し、
前記表示制御部は、
取得された前記複数の第２リンクコンテンツのうち一部の第２リンクコンテンツを表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる他の第２リンクコンテンツを表示する
ことを特徴とする端末装置。
【請求項１３】
制御情報によって表示制御されるコンテンツを端末装置へ配信する配信部を備え、
前記制御情報は、
表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている複数の第２リンクコンテンツを取得し、
取得した第２リンクコンテンツを、前記第１コンテンツを非表示状態としたまま前記表示中の第１リンクコンテンツとともに表示し、
取得した第２リンクコンテンツのうち一部の第２リンクコンテンツを、前記第１コンテンツを非表示状態としたまま前記表示中の第１リンクコンテンツと共に表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる他の第２リンクコンテンツを表示する
ことを特徴とする配信装置。
【手続補正２】
【補正対象書類名】明細書
【補正対象項目名】０００７
【補正方法】変更
【補正の内容】
【０００７】
本願に係る情報表示プログラムは、取得手順と、表示制御手順とをコンピュータに実行させる。取得手順は、表示要求操作がなされるまで非表示状態にある第１コンテンツへのリンクが張られている第１リンクコンテンツであって表示中の第１リンクコンテンツに対して、前記表示要求操作とは異なる前記第１リンクコンテンツを指定する操作が行われた場合に、前記第１コンテンツに関連する第２コンテンツへのリンクが張られている第２リンクコンテンツを取得する。表示制御手順は、前記取得手順において取得された第２リンクコンテンツを、前記第１コンテンツを非表示状態としたまま前記表示中の第１リンクコンテンツと共に表示する。そして、前記取得手順では、前記第１リンクコンテンツに対して前記操作が行われた場合に、複数の第２リンクコンテンツを取得する。また、前記表示制御手順では、取得された前記複数の第２リンクコンテンツのうち一部の第２リンクコンテンツを表示し、前記一部の第２リンクコンテンツを表示した後に前記第１リンクコンテンツに対して前記操作が再度行われた場合に、前記複数の第２リンクコンテンツのうち前記一部の第２リンクコンテンツとは異なる他の第２リンクコンテンツを表示する。